(57)【特許請求の範囲】
【請求項１】
縁部に設けられた第一の係合部を有する寝台と；
前記第一の係合部に係合する第二の係合部を有するボードと；
を備え、
前記第二の係合部は、前記ボードのボード本体と一体に形成されており、
前記第二の結合部は、凹部及び凸条部を含み、
前記凸条部は、前記凹部の内面に対向し、
前記凸条部と前記凹部とで前記第一の係合部を挟むことが可能な、
ことを特徴とする寝台装置。
【請求項２】
前記寝台は、架台本体を含み、
前記第一の係合部は、前記架台本体に設けられ前記架台本体よりも上方に突出した凸部を備え、
前記第一の係合部と前記第二の係合部とが係合したときに、前記凸部は、前記凸条部と前記凹部との間にあること特徴とする請求項１に記載の寝台装置。
【請求項３】
前記第一の係合部は、頭部近傍又は脚部近傍の前記寝台の縁部に設けられたことを特徴とする請求項１又は２に記載の寝台装置。
【請求項４】
前記ボードは、水平面上で湾曲していることを特徴とする請求項１から３のいずれか一項に記載の寝台装置。
【請求項５】
前記ボードは、前記寝台の外側に向かって凸となるように湾曲していることを特徴とする請求項１から４のいずれか一項に記載の寝台装置。
【請求項６】
前記ボードは、厚さ方向に突出するフランジ部を有することを特徴とする請求項１から５のいずれか一項に記載の寝台装置。
【請求項７】
前記第二の係合部は、前記ボードにおける前記寝台の内側の主面に設けられていることを特徴とする請求項１から６のいずれか一項に記載の寝台装置。
【請求項８】
前記第一の係合部と前記第二の係合部とが係合するときに、前記凸条部は、前記凸部に摺接することを特徴とする請求項２に記載の寝台装置。
【請求項９】
寝台が有する第一の係合部に着脱可能に取付けられるボードであって、
前記第一の係合部に係合する第二の係合部と；
前記第二の係合部が一体に形成されているボード本体と；
を備え、
前記第二の係合部は、凹部及び凸条部を含み、
前記凸状部は、前記凹部の内面に対向し、
前記第一の係合部に前記第二の係合部が係合したときに前記凸条部と前記凹部とで前記第一の係合部を挟むことが可能な、
ことを特徴とするボード。
【請求項１０】
医療用具取付棒を支持する棒支持部が、前記ボード本体と同一材料で前記ボード本体と一体に形成されていることを特徴とする請求項９に記載のボード。
【請求項１１】
前記棒支持部には、上方に開口するとともに下方に底面を有する穴部が形成されている  ことを特徴とする請求項１０に記載のボード。
【発明の詳細な説明】
【技術分野】
【０００１】
本発明は、ボード及び寝台装置に関する。
【背景技術】
【０００２】
従来、使用者が体を休めたり病気の療養をしたりするために寝台装置が用いられている。この種の寝台装置として、例えば特許文献１に記載されたものが知られている。
特許文献１の寝台装置は、ベッド本体（寝台）と、ベッド本体を構成する両サイドフレームに支持された可動手すり及び転落防止柵とを備えている。ベッド本体は、平面視で矩形状に形成されたフレームの下面にベッド脚が設けられるとともに、フレームの長手方向の両端部にボードが設けられている。
【先行技術文献】
【特許文献】
【０００３】
【特許文献１】実開平６−３８９６２号公報
【発明の概要】
【発明が解決しようとする課題】
【０００４】
一般的に、従来の寝台装置では、ベッド本体に対してボードが着脱可能となっている。ボードは、例えば、板状のボード本体と、ボード本体をベッド本体に取付けるための金具とを有している。ボード本体に孔を開けて金具をボード本体にビス止めすること等により、ボード本体と金具とが固定されている。
このように構成された寝台装置は、ボードの金具がベッド本体のフレームに設けられた受け具に係合することで、ベッド本体にボードが取付けられる。一方で、ボード本体の金具とベッド本体の受け具との係合を解除することで、ベッド本体からボードが取り外される。
【０００５】
しかしながら、従来の寝台装置では、ベッド本体にボードを固定するのに、ボードの金具やベッド本体の受け具等が必要となる。このため、ボードを固定するのに必要な部品の数が多い。
【０００６】
本発明は、前述した事情に鑑みてなされたものであって、寝台にボードを固定するのに必要な部品の数を減らしたボード、及びこのボードを備える寝台装置を提供することを目的とする。
【課題を解決するための手段】
【０００７】
前記課題を解決するために、本発明は以下の手段を提案している。
（１）本発明の一態様に係る寝台装置は、縁部に設けられた第一の係合部を有する寝台と；前記第一の係合部に係合する第二の係合部を有するボードと；を備えた寝台装置において；前記第二の係合部は、前記ボードと一体に形成されている。
（９）本発明の一態様に係るボードは、寝台が有する第一の係合部に着脱可能に取付けられるボードであって、前記第一の係合部に係合する第二の係合部と；前記第二の係合部が一体に形成されているボード本体と；を備える。
これらの態様によれば、第二の係合部が一体に形成されたボードの第二の係合部を寝台の第一の係合部に係合させることで、寝台に対してボードが取付けられる。一方で、第一の係合部と第二の係合部との係合を解除することで、寝台からボードが取り外される。
ボードは、第二の係合部が一体に形成した１つの部品である。
【０００８】
（２）上記（１）に記載の寝台装置では、前記寝台は、凸部を有する前記第一の係合部を備え、前記ボードは、前記第一の係合部に係合するための凹部を有する前記第二の係合部を備えた構成を採用してもよい。
この場合、凸部と凹部とが所定の方向に凹凸係合する。
【０００９】
（３）上記（１）又は（２）に記載の寝台装置では、前記第一の係合部は、頭部近傍又は脚部近傍の前記寝台の縁部に設けられている構成を採用してもよい。
この場合、寝台上に寝る等して寝台装置を使用する使用者の頭又は脚を保護することができる。
【００１０】
（４）上記（１）から（３）のいずれか一項に記載の寝台装置では、前記ボードは、水平面上で湾曲している構成を採用してもよい。
この場合、湾曲しているボードの両端部を保持すると、ボードが厚さ方向に変形しにくくなる。
【００１１】
（５）上記（１）から（４）のいずれか一項に記載の寝台装置では、前記ボードが、前記寝台の外側に向かって凸となるように湾曲している構成を採用してもよい。
この場合、寝台上に寝る等して寝台装置を使用する使用者とは反対側に向かって凸となるようにボードが湾曲する。したがって、使用者が寝台装置を使用する際に、ボードが支障となりにくくすることができる。
【００１２】
（６）上記（１）から（５）のいずれか一項に記載の寝台装置では、前記ボードは、厚さ方向に突出するフランジ部を有する構成を採用してもよい。
この場合、ボードを曲げるときにフランジ部も曲がるため、ボードを曲がりにくくすることができる。
【００１３】
（７）上記（１）から（６）のいずれか一項に記載の寝台装置では、前記第二の係合部は、前記ボードにおける前記寝台の内側の主面に設けられている構成を採用してもよい。
この場合、第二の係合部が寝台装置の外部から見えにくくなり、寝台装置の外観を向上させることができる。
【００１４】
（８）上記（２）に記載の寝台装置では、前記凹部の内面には、前記凸部に前記凹部が係合する係合方向に延び、前記凸部に前記凹部が係合するときに前記凸部に摺接する凸条部が設けられている構成を採用してもよい。
この場合、凸部と凹部との間にガタつきがある場合でも、凸条部でそのガタつきを抑えることができる。凹部の内面の幅よりも凸条部の幅の方が狭いため、凹部の内面から凸条部が突出する方向に凹部の内面よりも凸条部の方が変形しやすい。凹部と凸条部との間の隙間が狭くその隙間に凸部を挿入しにくい場合でも、凸条部が容易に変形してその隙間に凸部を挿入しやすくすることができる。
【００１５】
（１０）本発明の一態様に係るボードは、寝台に取付けられ、前記寝台に取付けたときに前記寝台から立ち上がるボードであって、医療用具取付棒を支持する棒支持部を備え、同一材料で一体に形成されている。
この態様によれば、ボードが棒支持部を有するため、寝台に棒支持部を設けることなく、寝台装置の低コスト化を図ることができる。また、寝台装置に医療用具取付棒を固定するのに必要な部品の数を低減させることができる。
【００１６】
（１１）上記（１０）に記載のボードでは、前記棒支持部には、上方に開口するとともに下方に底面を有する穴部が形成されている構成を採用してもよい。
この場合、穴部内に医療用具取付棒を挿入するだけで、棒支持部で医療用具取付棒を支持することができる。
【発明の効果】
【００１７】
本発明の上記各態様に係るボード及び寝台装置によれば、寝台にボードを固定するのに必要な部品の数を減らすことができる。
【図面の簡単な説明】
【００１８】
【図１】本発明の一実施形態に係る寝台装置を左右方向から見た側面図である。
【図２】同寝台装置の一部を破断した上面図である。
【図３】同寝台装置の一部を破断して脚側から見た正面図である。
【図４】同寝台装置の要部の側面の断面図である。
【図５】図４中の切断線Ａ１−Ａ１の断面図である。
【図６】同寝台装置の背ボトム及び脚ボトムを使用状態にした斜視図である。
【図７】同寝台装置のボードの正面図である。
【図８】同ボードの上面図及び下面図を併せて示す図である。
【図９】図７中の切断線Ａ２−Ａ２の断面図である。
【図１０】同ボードの要部の断面図である。
【図１１】本発明の実施形態に係る寝台装置に蚊帳を取付けた斜視図である。
【発明を実施するための形態】
【００１９】
以下、本発明の一実施形態に係る寝台装置を、図面に基づいて以下に説明する。寝台装置は、例えば、医療環境下（介護環境下を含む）において利用することができる。図１、図２、図４から図６において、矢印Ｈは人（使用者）が寝る際に頭側となる向きを示し、また矢印Ｆは人が寝る際に脚側となる向きを示している。以下の説明においては、矢印Ｈ、Ｆの方向である前後方向に対して直交する水平方向を左右方向と言う場合がある。
【００２０】
図１から図３に示すように、本寝台装置１０は、寝台１１と、ボード１２と、駆動機構１３と、を備えている。なお、後述するマットレスＭ及び医療用具取付棒Ｂ１０は、一部の図のみに示している。
寝台１１は、長尺でかつ複数並設されることで寝台面１４を形成するパネル部材１５と、支持架台１６を備えている。各パネル部材１５は、互いに同等の形状でかつ同等の大きさに形成されている。各パネル部材１５は、左右方向に延びる長尺な板状に形成され、各パネル部材１５の表裏面は、上下方向を向いている。パネル部材１５は、前後方向に複数並設されている。各パネル部材１５は、駆動機構１３によって寝台１１が背上げ又は膝上げ等の変形、例えば起伏をともなう回動させられる前の標準状態において、同一平面上に配置されている。
【００２１】
各パネル部材１５の左右方向の両端部には、左右一対のカバー部材１７が設けられている。カバー部材１７は、各パネル部材１５に左右方向の外側から装着されている。カバー部材１７は、左右方向の外側に向けて突となる半楕円形状に形成されている。
複数のパネル部材１５及び複数のカバー部材１７の各上面は、前述の寝台面１４を形成している。寝台面１４は、前述の標準状態において、上下方向に直交する直交面とされている。
寝台１１は、前述の標準状態において、平面視で矩形状に形成されている。寝台１１の長手方向の長さは、寝台１１の短手方向の長さよりも長い。寝台１１の長手方向が、前後方向である。寝台１１の短手方向が、左右方向である。寝台面１４上には、マットレスＭが配置される。
【００２２】
複数のパネル部材１５は、前後方向に複数のグループに区画されている。複数のパネル部材１５は、頭側Ｈから脚側Ｆに向けて、背ボトム１８と、脚ボトム１９と、の順にグループ分けされている。さらに、脚ボトム１９は、頭側Ｈから脚側Ｆに向けて、膝ボトム２０と、足ボトム２１と、の順にグループ分けされている。
背ボトム１８は、寝台面１４における背に対応し、脚ボトム１９は、寝台面１４における腰から足に対応する。膝ボトム２０は、寝台面１４における腰から膝に対応し、足ボトム２１は、寝台面１４における膝から足に対応する。背ボトム１８の上面及び脚ボトム１９（膝ボトム２０及び脚ボトム１９）の上面はそれぞれ、寝台面１４の一部を形成している。
【００２３】
支持架台１６は、複数のパネル部材１５を支持する。本実施形態では、支持架台１６が、背ボトム１８、脚ボトム（可動ボトム）１９を第１回動軸Ｃ１、第２回動軸Ｃ２周りにそれぞれ回動自在に支持していて、寝台装置１０は、いわゆるギャッチベッドとなっている。支持架台１６は、架台本体２４と、第１回動機構２５と、第２回動機構２６と、を備えている。
架台本体２４は、複数のパネル部材１５、及び複数のパネル部材１５上の使用者それぞれの荷重を受け止める。架台本体２４は、平面視において矩形状をなすメインフレーム２７と、メインフレーム２７から下方に向けて延びる脚部材２８と、を備えている。
【００２４】
メインフレーム２７（架台本体２４）は、左右方向に複数のパネル部材１５よりも小さく、メインフレーム２７の幅（左右方向の大きさ）は、複数のパネル部材１５の幅よりも狭いい。メインフレーム２７の左右方向の中央部は、複数のパネル部材１５の左右方向の中央部と左右方向に同等の位置に配置されている。複数のパネル部材１５は、メインフレーム２７から左右方向の両側に突出している。メインフレーム２７は、複数のパネル部材１５の左右方向の両端部を下方から支持可能とされている。
【００２５】
メインフレーム２７は、前後方向に延びる左右一対の縦部材３０と、左右方向に延びる前後一対の横部材３１と、を備えている。前後一対の横部材３１は、左右一対の縦部材３０を左右方向に連結している。横部材３１の左右方向の端部は、縦部材３０に連結されている。縦部材３０の前後方向の端部は、横部材３１よりも前後方向の外側に突出している。
図３及び図４に示すように、それぞれの縦部材３０前後方向の両端部には、上下方向に延びる係合部材３２が連結されている。各係合部材３２は、前後方向の外側が凹んでいて、上下方向に直交する断面がＵ字形に形成されている（図５参照）。各係合部材３２の上下方向の端部は、縦部材３０よりも上下方向にそれぞれ突出している。係合部材３２における縦部材３０よりも上方に突出した部分が、凸部３２ａを有する第一の係合部３２ｂである。
【００２６】
寝台１１は、４つの第一の係合部３２ｂ、すなわち二対の第一の係合部３２ｂを有している。４つの第一の係合部３２ｂの内前方及び後方に配置された左右一対の第一の係合部３２ｂは、上下方向に直交（交差）する左右方向に互いに離間した状態で寝台１１に設けられている。第一の係合部３２ｂは、寝台１１上に寝る等して寝台装置１０を使用する使用者の頭部近傍及び脚部近傍の寝台１１の縁部に設けられている。
凸部３２ａは、図４及び図５に示すように、上下方向及び左右方向に延びる凸部本体３２ｃと、凸部本体３２ｃの左右方向の端部から前後方向の外側に突出する一対の挟持部材３２ｄとを有している。一対の挟持部材３２ｄの間には、隙間が形成されている。これら凸部本体３２ｃ及び一対の挟持部材３２ｄは、全体としてＵ字形に形成されている。
【００２７】
図１から図３に示すように、脚部材２８は、複数備えられていて、本実施形態では、左右一対の脚部材２８が、前後方向に間隔をあけて一対配置されている。脚部材２８は、メインフレーム２７において縦部材３０と横部材３１とが連結された部分に配置されている。脚部材２８の下端部には、キャスター２９が設けられている。
【００２８】
回動機構２５、２６は、公知の構成を有している。
第１回動機構２５は、背ボトム１８を第１回動軸Ｃ１周りに回動自在に保持する。第１回動機構２５は、背ボトム１８を第１回動軸Ｃ１周りに起伏回動することで、図６に示すように、背ボトム１８の頭側Ｈを上昇させながら、背ボトム１８を水平面に対して傾斜させる。なお、図６には、ボード１２の後述する没入部３６ｂ、３６ｃ、３６ｄは示していない。
第２回動機構２６は、脚ボトム１９を第２回動軸Ｃ２周りに回動自在に保持する。第２回動機構２６は、脚ボトム１９を第２回動軸Ｃ２周りに回動することで、図６に示すように、脚ボトム１９において膝ボトム２０と足ボトム２１との間に位置する部分が上側に向けて突となるように、脚ボトム１９を屈曲させる。このとき、膝ボトム２０の頭側Ｈの端部が前後方向に固定された状態で、足ボトム２１の脚側Ｆの端部が架台本体２４上を頭側Ｈに移動する。
【００２９】
第１回動機構２５及び第２回動機構２６が、前述の標準状態から背ボトム１８及び脚ボトム１９を回動させることで、寝台１１は、図６に示すような、背上げ及び脚上げ（膝上げ）がされた典型的な使用状態となる。寝台１１を標準状態から使用状態にするときには、脚上げを背上げに先行して実施することで、使用者の寝台装置１０に対するずれを効果的に防止することができる。
【００３０】
図７から図９に示すように、ボード１２は、左右一対の第一の係合部３２ｂに係合する一対の第二の係合部３５と、矩形の板状に形成されたボード本体３６と、ボード本体３６の第一の主面（主面）３６ａに設けられ、ボード本体３６の厚さ方向に突出するフランジ部３７と、を有している。ボード本体３６は、ボード本体３６の厚さ方向に向かって凸となるように湾曲している。
ボード本体３６において、凹となるように湾曲した第二の主面（主面）３６ｅに、一対の第二の係合部３５が形成されている。なお、前述の第一の主面３６ａは、ボード本体３６において凸となるように湾曲した主面である。第一の主面３６ａは、第二の主面３６ｅとは反対の面である。第一の主面３６ａ及び第二の主面３６ｅは、ボード本体３６の厚さ方向に直交するボード本体３６の外面である。
ボード本体３６は、上下方向の長さよりも左右方向の長さの方が長い。
ボード本体３６の第一の主面３６ａの中央部には、第一の主面３６ａから凹んだ没入部３６ｂ、３６ｃ、３６ｄが形成されている。没入部３６ｂ、３６ｃ、３６ｄは、上方に開口するＵ字形に形成されている。没入部３６ｃは、没入部３６ｂを囲うように没入部３６ｂの外側に形成されている。没入部３６ｄは、没入部３６ｃを囲うように没入部３６ｃの外側に形成されている。
【００３１】
第二の係合部３５は、図４及び図５に示すように、上下方向に延びる角筒状に形成された筒状体３８の上方の開口を蓋部３９で塞いで構成されている。筒状体３８及び蓋部３９で、第二の係合部３５に上方に向かって凹んだ凹部３５ａが形成される。凹部３５ａの内面の左右方向の幅Ｌ１は、凸部３２ａの左右方向の幅にほぼ等しい。
凹部３５ａの前後方向の外側の内面には、一対の主凸条部（凸条部）３８ａが、左右方向に間隔をあけるとともに上下方向に延びるように設けられている。主凸条部３８ａは、凹部３５ａの内面から前後方向に突出する。各主凸条部３８ａの左右方向の幅Ｌ２の合計は、凹部３５ａの内面の幅Ｌ１よりも狭い。このため、同じ大きさの前後方向の外力を作用させたときに、凹部３５ａのこの内面よりも主凸条部３８ａの前後方向の内側の内面の方が前後方向に変形しやすい。
【００３２】
筒状体３８の前後方向の内側の内面には、一対の補助凸条部３８ｂが、左右方向に間隔をあけるとともに上下方向に延びるように形成されている。補助凸条部３８ｂが筒状体３８の内面から前後方向に突出する長さは、主凸条部３８ａが筒状体３８の内面から前後方向に突出する長さよりも短い。各補助凸条部３８ｂは、主凸条部３８ａに対向するように形成されている。主凸条部３８ａと補助凸条部３８ｂとの距離は、凸部３２ａの凸部本体３２ｃの厚さにほぼ等しい。
一対の第二の係合部３５の左右方向のピッチは、凸部３２ａの左右方向のピッチに等しい。
【００３３】
後述するように第一の係合部３２ｂに第二の係合部３５が係合する方向である係合方向は上下方向となっている。一対の第二の係合部３５は、互いに左右方向に離間してボード本体３６に設けられている。
フランジ部３７は、ボード本体３６の上方の端部にボード本体３６の全幅にわたり形成されている。
【００３４】
図７及び図１０に示すように、ボード本体３６の左右方向の両端部には、医療用具取付棒Ｂ１０を支持する棒支持部４１がそれぞれ設けられている。図１０に示すように、棒支持部４１には、上方に開口するとともに下方に底面４１ａを有する穴部４１ｂが形成されている。穴部４１ｂは、円筒状に形成されている。底面４１ａの中央部には、下方に延びて外部に達する貫通孔４１ｃが形成されている。
穴部４１ｂの内面には、複数の主凸条部４１ｅが穴部４１ｂの周方向に間隔をあけるとともに上下方向に延びるように設けられている。
医療用具取付棒Ｂ１０としては、例えば、図１に示すように、フックＢ１２を支持棒Ｂ１３で支持したＩＶ（点滴）ポールを用いることができる。このフックＢ１２には、薬液等が充填されたバッグＢ１１が吊り下げられる。
【００３５】
図７及び図８に示すように、一対の棒支持部４１は、一対の第二の係合部３５を左右方向に挟むように設けられている。一対の第二の係合部３５、ボード本体３６、フランジ部３７、及び一対の棒支持部４１は、互いに同一の材料で一体に形成されている。ここで言う一体に形成するとは、別々に形成した部品を接着剤等で接合するのでなく、同時に１つの部品として形成することを意味する。
ボード１２は、樹脂を射出成形すること等により１つの部品として形成されている。ボード１２は、比較的凹凸部が無いように形成されている。
【００３６】
このように構成されたボード１２の各第二の係合部３５を左右一対の第一の係合部３２ｂの凸部３２ａに係合させるには、凸部３２ａに対して第二の係合部３５を上下方向である係合方向に移動させる。主凸条部３８ａと補助凸条部３８ｂとの間を凸部３２ａの凸部本体３２ｃが上下方向に移動するときに、凸部本体３２ｃに主凸条部３８ａ及び補助凸条部３８ｂが摺接する（滑る状態で接する）。したがって、凸部３２ａと凹部３５ａとの間にガタつきがある場合でも、主凸条部３８ａ及び補助凸条部３８ｂでそのガタつきが抑えられる。このように、凸部３２ａと凹部３５ａとが上下方向に凹凸係合することで、寝台１１にボード１２が固定される。
一方で、主凸条部３８ａと補助凸条部３８ｂとの間の隙間Ｓ（図５参照）が狭くその隙間に凸部３２ａの凸部本体３２ｃを挿入しにくい場合でも、主凸条部３８ａが容易に変形して隙間Ｓに凸部３２ａを挿入しやすくなる。
【００３７】
このとき、凸部３２ａの一対の挟持部材３２ｄは、一対の主凸条部３８ａを挟むように配置される。
図４に示すように、凸部３２ａの上方の端部が第二の係合部３５の蓋部３９に当接すること等により、凸部３２ａに対して第二の係合部３５の上下方向の位置が位置決めされる。一対の第一の係合部３２ｂの凸部３２ａに第二の係合部３５の凹部３５ａが係合することで、寝台１１にボード１２が取付けられる。
【００３８】
第一の係合部３２ｂに第二の係合部３５を係合させて寝台１１にボード１２を取付けたときに、図１に示すようにボード１２は寝台１１の縁部、特に頭側Ｈと脚側Ｆに設けられる。ボード１２は、寝台１１の前後方向のそれぞれの端部に設けられる。ボード１２は、寝台１１から上方に立ち上がった状態に固定される。
図２に示すように、ボード本体３６は、上下方向に直交（交差）する断面（水平面に平行な断面）上で、寝台１１の前後方向の外側に向かって凸となるように湾曲している。ボード１２、すなわちボード本体３６は、水平面上で湾曲している。
第二の係合部３５は、ボード本体３６における寝台１１の内側の主面である第二の主面３６ｅに設けられている。一方で、第一の主面３６ａは、ボード本体３６における寝台１１の外側の主面となる。ボード１２は、寝台１１の前後方向のそれぞれの端部に設けられている。このときに、ボード１２の第一の主面３６ａの左右中央における法線が、前後方向にほぼ平行（平行も含む）になる。
【００３９】
ボード１２では、一対の棒支持部４１がボード本体３６の左右方向の両端部に互いに離間した状態で配置される。
棒支持部４１の穴部４１ｂに医療用具取付棒Ｂ１０の支持棒Ｂ１３の端部を挿入すると、支持棒Ｂ１３に各主凸条部４１ｅが摺接する。棒支持部４１に穴部４１ｂが形成されていることで、穴部４１ｂ内に医療用具取付棒Ｂ１０を挿入するだけで、棒支持部４１で医療用具取付棒Ｂ１０が支持される。穴部４１ｂと支持棒Ｂ１３との間にガタつきがある場合でも、各主凸条部４１ｅでそのガタつきが抑えられる。
棒支持部４１の底面４１ａに支持棒Ｂ１３の下方の端部が当接することにより、棒支持部４１に対して医療用具取付棒Ｂ１０の上下方向の位置が位置決めされる。
【００４０】
図１から図３に示すように、詳細には説明しないが、駆動機構１３は、背ボトム１８をＣ１周りに回動させる第１駆動機構１３ａと、脚ボトム１９の膝ボトム２０をＣ２周りに回動させる第２駆動機構１３ｂと、を備えている。駆動機構１３ａ、１３ｂは、公知の構成を有している。
なお、図示の例では、駆動機構１３ａ、１３ｂは、人の操作を動力源とする手動式の駆動機構となっている。駆動機構１３ａ、１３ｂは、架台本体２４から前後方向に沿う脚側Ｆに向けて突出している。これにより、駆動機構１３ａ、１３ｂによって背ボトム１８及び脚ボトム１９を回動させるときに、操作性が確保されている。
一方で、駆動機構１３ａ、１３ｂを操作しない状態（寝台１１の通常の使用状態である標準状態）では、例えば、駆動機構１３ａ、１３ｂが脚側Ｆから頭側Ｈに向けて屈曲されること等により、駆動機構１３ａ、１３ｂの一部が図１に二点鎖線で示す位置Ｑに配置されて格納され、医療従事者等の邪魔になることが抑えられる。
駆動機構１３ａ、１３ｂとして、電力を動力源とする電動駆動機構を採用することも可能である。
【００４１】
次に、以上のように構成された本寝台装置１０の作用について説明する。
寝台装置１０が標準状態であるときに、寝台１１の前後方向の各端部の左右一対の第一の係合部３２ｂに、ボード１２の一対の第二の係合部３５を上下方向に係合させる。本寝台装置１０では、一対のボード１２が全体として４つの棒支持部４１を備えている。
このとき、例えば一対の第一の係合部３２ｂの左右方向のピッチよりも一対の第二の係合部３５の左右方向のピッチの方が長い場合には、ボード１２のボード本体３６の湾曲の曲率半径を小さくして（湾曲の曲げをきつくして）、ボード１２の一対の第二の係合部３５のピッチを短くする。一方で、一対の第一の係合部３２ｂのピッチよりも一対の第二の係合部３５のピッチの方が短い場合には、ボード１２のボード本体３６の湾曲の曲率半径を大きくして（湾曲の曲げを緩くして）、ボード１２の一対の第二の係合部３５のピッチを長くする。
ボード本体３６が上下方向に直交（交差）する断面上で湾曲しているため、例えばボード本体３６の左右方向の端部をそれぞれ把持して湾曲の曲率半径を変えることで一対の第二の係合部３５のピッチが容易に調節できる。
【００４２】
例えば、頭側Ｈのボード１２の棒支持部４１の穴部４１ｂに医療用具取付棒Ｂ１０の支持棒Ｂ１３の端部を挿入し、棒支持部４１の穴部４１ｂに医療用具取付棒Ｂ１０を取付ける。
ボード１２は左右方向に並べた一対の棒支持部４１を有するため、左右方向のいずれの側においても、棒支持部４１に医療用具取付棒Ｂ１０を取付けられる。ボード１２は寝台１１の前後方向のそれぞれの端部に設けられているため、前後方向のいずれの端部においても、棒支持部４１に医療用具取付棒Ｂ１０を取付けられる。
使用者は、寝台１１上のマットレスＭに、頭側Ｈに使用者（又は被介護者）の頭が、脚側Ｆに使用者の脚がくるように寝る。ボード１２が寝台１１の前後方向のそれぞれの縁部に設けられていることで、ボード１２により使用者の頭と脚とが保護される。
ボード１２のボード本体３６は、寝台１１の前後方向の外側に向かって凸となるように湾曲している。したがって、使用者が寝台装置１０を使用する際に、ボード本体３６が支障となりにくい。
医療用具取付棒Ｂ１０のフックＢ１２にバッグＢ１１を吊り下げ、使用者に点滴静脈注射等の処置をする。
【００４３】
必要に応じて駆動機構１３ａ、１３ｂを操作して、寝台装置１０を使用状態にする。
ボード１２を前後方向の外側から押す等して、ボード１２に前後方向の外側から内側に向けて外力が作用した場合には、以下のようになる。ボード本体３６は前後方向の外側に向かって凸となるように湾曲しているとともに左右方向の両端部が第一の係合部３２ｂにより支持されている。このため、ボード１２が平坦な場合に比べて、ボード本体３６に曲げモーメントに代えて圧縮力が作用するようになる。一般的に、構造体は曲げモーメントが作用したときよりも圧縮力が作用したときの方が変形しにくいため、ボード本体３６が厚さ方向に変形しにくくなり、ボード本体３６の厚さ方向の強度が高くなる。
寝台１１からボード１２を取外すには、寝台１１に対してボード１２を上方に移動させて第一の係合部３２ｂと第二の係合部３５との係合を解除する。第一の係合部３２ｂに第二の係合部３５を係合させたりこの係合を解除させたりという１つのアクションで寝台１１からボード１２が着脱できるため、寝台装置１０の据付けや看護業務の効率化を図ることができる。
ボード１２の棒支持部４１から医療用具取付棒Ｂ１０を取外すには、棒支持部４１に対して医療用具取付棒Ｂ１０を上方に移動させて穴部４１ｂと支持棒Ｂ１３の端部との係合を解除する。
【００４４】
以上説明したように、本実施形態のボード１２及び寝台装置１０によれば、ボード１２は、寝台１１の第一の係合部３２ｂに係合する第二の係合部３５とボード本体３６とが同一の材料又は同一素材の樹脂等で一体に形成されたものである。
ボード１２の第二の係合部３５を寝台１１の第一の係合部３２ｂに係合させることで、寝台１１にボード１２が取付けられる。一方で、第一の係合部３２ｂと第二の係合部３５との係合を解除することで、寝台１１からボード１２が取り外される。
ボード１２は、一対の第二の係合部３５及びボード本体３６を一体に形成した１つの部品である。したがって、寝台１１にボード１２を固定するのに必要な部品の数を減らすことができる。
【００４５】
一対の第二の係合部３５は、互いに左右方向に離間してボード本体３６の両端部に設けられている。それゆえに、寝台１１にボード１２が取付けられたときに、寝台１１に対してボード１２が、上下方向に平行な軸線周りに回りにくくなる。
ボード本体３６は、ボード本体３６の厚さ方向に向かって凸となるように湾曲している。凸となっている向きとは反対向きにボード本体３６に外力を作用させたときに、ボード本体３６に曲げモーメントに代えて圧縮力が作用するようになる。一般的に、構造体は曲げモーメントが作用したときよりも圧縮力が作用したときの方が変形しにくいため、ボード本体３６が厚さ方向に変形しづらくなり、ボード本体３６の厚さ方向の強度が高くすることができる。
【００４６】
ボード本体３６は、水平面に平行な面上で湾曲している。ボード本体３６の湾曲の曲率半径を大きくしたり小さくしたりすることで、一対の第二の係合部３５間の距離が調節される。したがって、一対の第一の係合部３２ｂのピッチと一対の第二の係合部３５のピッチとが異なっていても、一対の第二の係合部３５間の距離を調節することで一対の第一の係合部３２ｂに一対の第二の係合部３５を係合しやすくすることができる。
寝台１１にボード１２を取付けたときに、ボード本体３６は寝台１１の前後方向の外側に向かって凸となるように湾曲している。寝台１１上に寝る等して寝台装置１０を使用する使用者とは反対側に向かって凸となるようにボード本体３６が湾曲する。したがって、使用者が寝台装置１０を使用する際に、ボード本体３６が支障となりにくくすることができる。
湾曲しているボード１２の両端部を保持すると、ボード１２が厚さ方向である前後方向に変形しにくくなる。
【００４７】
ボード１２がフランジ部３７を有することで、ボード１２を曲げるときにフランジ部３７も曲がるため、ボード１２を曲がりにくくすることができる。
第二の係合部３５は、ボード本体３６における寝台１１の内側となる第二の主面３６ｅに設けられている。このため、第二の係合部３５が寝台装置１０の外部から見えにくくなり、寝台装置１０の外観を向上させることができる。
【００４８】
凹部３５ａの内面には、複数の主凸条部３８ａが設けられている。凸部３２ａと凹部３５ａとの間にガタつきがある場合でも、主凸条部３８ａでそのガタつきを抑えることができる。凹部３５ａの内面の幅Ｌ１よりも各主凸条部３８ａの幅Ｌ２の合計の方が狭いため、凹部３５ａの内面よりも主凸条部３８ａの方が前後方向に変形しやすい。凹部３５ａと主凸条部３８ａとの間の隙間Ｓが狭くその隙間Ｓに凸部３２ａを挿入しにくい場合でも、主凸条部３８ａが容易に変形して隙間Ｓに凸部３２ａを挿入しやすくすることができる。
ボード１２が寝台１１の前後方向のそれぞれの端部に設けられていることで、ボード１２により寝台１１の長手方向に沿って寝る使用者の頭と脚とを保護することができる。
【００４９】
一般的に、従来の寝台装置では、ＩＶポール等の医療用具取付棒を支持する棒支持部は、例えば金具等で形成され、ベッド本体（寝台）のフレームに溶接等により固定されている。したがって、寝台装置で医療用具取付棒を支持するには、金具等の新たな部品を用意してベッド本体に棒支持部を固定する必要があるという問題がある。
これに対して本実施形態の寝台装置１０では、ボード１２が棒支持部４１を有するため、寝台１１に棒支持部４１を設けることなく、寝台装置１０の低コスト化を図ることができる。
【００５０】
棒支持部４１を有するボード１２が同一素材又は同一材料で一体に形成されているため、医療用具取付棒Ｂ１０を寝台装置１０に取付けるのに必要な部品の数を低減させることができる。棒支持部４１がボード１２に一体に形成されていることで、寝台装置１０に棒支持部４１を価格を抑えつつ設けることができる。ボード１２を樹脂で形成することで、ボード１２が軽くなり、ボード１２の取扱いが容易になる。ボード１２が一体に形成されているため、ボード１２を水で洗浄するときにボード１２の内部に水が入らない。ボード１２内に害虫等が巣をつくることを防ぐことができる。
ボード１２に比較的凹凸部が少ないことで、ボード１２を拭いて清掃しやすくなる。
棒支持部４１に穴部４１ｂが形成されていることで、穴部４１ｂ内に医療用具取付棒Ｂ１０を挿入するだけで、棒支持部４１で医療用具取付棒Ｂ１０を支持することができる。
例えば、バッグＢ１１内の薬液等が医療用具取付棒Ｂ１０を伝わって穴部４１ｂ内に付着した場合でも、第一の係合部３２ｂからボード１２を取外して、ボード１２の棒支持部４１の穴部４１ｂ内を水洗いすることができる。
【００５１】
ボード１２は左右方向に並べた一対の棒支持部４１を有するため、左右方向のいずれの側においても、棒支持部４１に医療用具取付棒Ｂ１０を取付けることができる。
ボード１２は寝台１１の前後方向のそれぞれの端部に設けられているため、前後方向のいずれの端部においても、棒支持部４１に医療用具取付棒Ｂ１０を取付けることができる。
なお、医療用具取付棒Ｂ１０として、薬液等が充填されたバッグＢ１１以外にも、氷のう等を吊り下げることができる。
【００５２】
以上、本発明の一実施形態について図面を参照して詳述したが、具体的な構成はこの実施形態に限られるものではなく、本発明の要旨を逸脱しない範囲の構成の変更、組み合わせ、削除等も含まれる。
例えば、前記実施形態では、図１１に示すように、寝台装置１０の４つの棒支持部４１に蚊帳５０を取付けてもよい。
蚊帳５０は、例えば、前後一対の支持部材５１に麻布５２を掛けて構成されている。支持部材５１は、左右方向に延びる連結棒５４と、連結棒５４の両端部から下方に延びる支持棒５５とを有している。支持棒５５の下方の端部が、棒支持部４１の穴部４１ｂ内に挿入されている。
蚊帳５０内では、使用者Ｐは、蚊等の虫を避けて眠ることができる。
【００５３】
また、前記実施形態では、ボード１２が第二の係合部３５を一対備えるとしたが、ボード１２が第二の係合部３５を１つだけ備えるように構成してもよい。この場合、凸部及び凹部の上下方向に直交する断面形状を矩形にする等して、凸部に対して凹部が上下方向に平行な軸線周りに回りにくくすることが好ましい。
ボード本体３６が外力に耐えるのに充分に厚い場合等には、ボード本体３６は平坦な板状に形成されていてもよい。ボード本体３６にフランジ部３７が設けられなくてもよい。
【００５４】
寝台１１の第一の係合部３２ｂが凸部３２ａを有し、ボード１２の第二の係合部３５に凹部３５ａが形成されるとした。しかし、寝台１１の第一の係合部に凹部が形成され、ボード１２の第二の係合部に凹部に係合する凸部が形成されるとしてもよい。この場合、寝台１１の第一の係合部における凹部の内面に、前述の凸条部が形成されてもよい。
第一の係合部３２ｂの凸部３２ａと第二の係合部３５の凹部３５ａとの間のガタつきが少ない場合には、凹部３５ａに主凸条部３８ａは形成されなくてもよい。
ボード１２が、一対の棒支持部４１を有するとした。しかし、ボード１２が有する棒支持部４１の数はこれに限定されず、１つでもよいし３つ以上でもよい。
ボード１２は、寝台１１の前後方向の一方の端部のみに設けられていてもよい。
【００５５】
ボード１２は、棒支持部４１を備えなくてよい。
また、ボード１２が第二の係合部３５を備えず、ボード１２が寝台１１に固定されるように構成してもよい。この場合には、ボード１２は、ボード本体３６とは別体に形成した棒支持部４１を、接着や溶着によりボード本体３６に固定する等して構成してもよい。
一対の第一の係合部３２ｂが並べられる方向は、上下方向である係合方向に直交する左右方向であるとした。しかし、一対の第一の係合部３２ｂが並べられる方向は、係合方向に交差する方向であるとしてもよい。
凹部がスリットであり、凸部が凹部に係合する板状の部材であるとしてもよい。
【００５６】
前記実施形態では、背ボトム１８及び脚ボトム１９の両方が、回動軸Ｃ１、Ｃ２周りに回動する可動ボトムとされたいわゆる２クランク（２ＡＣＴ）のギャッチベッドを採用したが、本発明はこれに限られない。例えば、背ボトム１８又は脚ボトム１９が回動軸Ｃ１、Ｃ２周りに回動する１クランク（１ＡＣＴ）のギャッチベッドを採用することも可能である。
この場合、寝台装置１０に、背ボトム１８を可動ボトムした背上げ機能を優先して搭載することができる。つまり、本発明は、背ボトム１８及び脚ボトム１９のうちの少なくとも一方を可動ボトムとした構成を採用することが可能である。本発明は、背ボトム１８及び脚ボトム１９のうちの少なくとも背ボトム１８を可動ボトムとした構成を採用することができる。
背ボトム１８と脚ボトム１９との間に、腰ボトムが配置されていてもよい。前記腰ボトムとしては、支持架台１６に回動不能に固定された構成を採用することが可能である。
【符号の説明】
【００５７】
１０  寝台装置
１１  寝台
１２  ボード
３２ａ  凸部
３２ｂ  第一の係合部
３５  第二の係合部
３５ａ  凹部
３６  ボード本体
３６ａ  第一の主面（主面）
３６ｅ  第二の主面（主面）
３７  フランジ部
３８ａ  主凸条部（凸条部）
４１  棒支持部
４１ａ  底面
４１ｂ  穴部
Ｂ１０  医療用具取付棒
【図１】
0006659276.tif 000002
【図２】
0006659276.tif 000003
【図３】
0006659276.tif 000004
【図４】
0006659276.tif 000005
【図５】
0006659276.tif 000006
【図６】
0006659276.tif 000007
【図７】
0006659276.tif 000008
【図８】
0006659276.tif 000009
【図９】
0006659276.tif 000010
【図１０】
0006659276.tif 000011
【図１１】
0006659276.tif 000012